(57)【要約】      （修正有）【課題】配達物が配達された後に、受取人に宛てられたメッセージ情報を受取人、又は受取人と送り主の指定された送信先に送信することができるメッセージ送信システム及びメッセージ送信方法を提供する。【解決手段】メッセージ送信システム１は、配達後に送信された配達物５の識別情報５０を含む開梱信号Ｓ２に基づいて、配達物５の識別情報５０に関連付けられて記憶装置３に記憶された送り主からのメッセージ情報を配達物５の受取人、又は配達物５の受取人と送り主の指定された送信先に送信する通信部２３を備えて概略構成されている。【選択図】図１
2015054749.tif 000002
【特許請求の範囲】
【請求項１】
配達後に送信された配達物の識別情報を含む信号に基づいて、前記配達物の前記識別情報に関連付けられて記憶部に記憶された送り主からのメッセージ情報を前記配達物の受取人、又は前記配達物の受取人と前記送り主の指定された送信先に送信する送信手段を備えたメッセージ送信システム。
【請求項２】
前記配達物に取り付けられた検知装置をさらに備え、
前記検知装置は、
前記配達物の開梱を検知して検知信号を出力する検知部と、
前記配達物の前記識別情報を保持する保持部と、
前記検知部から取得した前記検知信号に基づいて、前記保持部に記憶された前記識別情報を含む信号を出力する出力部と、を有する、
請求項１に記載のメッセージ送信システム。
【請求項３】
前記送信手段は、前記メッセージ情報を送信する前に、前記受取人が前記メッセージ情報を受け取るか否かを確認する確認メッセージ情報を前記送信先に送信する、
請求項１又は２に記載のメッセージ送信システム。
【請求項４】
さらに、前記メッセージ情報を受け付けて、前記記憶部に記憶させる受付手段を備えた請求項１乃至３のいずれか１項に記載のメッセージ送信システム。
【請求項５】
配達後に送信された配達物の識別情報を含む信号に基づいて、前記配達物の前記識別情報に関連付けられて記憶部に記憶された送り主からのメッセージ情報を前記配達物の受取人、又は前記配達物の受取人と前記送り主の指定された送信先に送信する、
メッセージ送信方法。
【発明の詳細な説明】
【技術分野】
【０００１】
本発明は、メッセージ送信システム及びメッセージ送信方法に関する。
【背景技術】
【０００２】
従来の技術として、荷物を受け取る受取人の通信端末と、荷物を配送する配送人の移動通信端末と、通信端末の位置を検出する第１の位置検出手段と、移動通信端末の位置を検出する第２の位置検出手段と、通信端末又は移動通信端末の少なくともいずれか一方から荷物の配送確認が要求された場合に、第１の位置検出手段によって検出される通信端末の位置と、第２の位置検出手段によって検出される移動通信端末の位置と、が一致する場合、荷物が正当な受取人に配送されたと判断する判断手段と、を備えた配送確認システムが知られている（例えば、特許文献１参照。）。
【０００３】
この配送確認システムの判断手段は、荷物が正当な受取人に配送されたと判断した後、通信端末と移動通信端末に、荷物が正当な受取人に配送されたことを示す音声メッセージを送信する。この音声メッセージにより、配送人は、荷物が指定した受取人に配送されたことを確認でき、受取人は、受け取った荷物が自分宛であることを確認できる。
【先行技術文献】
【特許文献】
【０００４】
【特許文献１】特開２００９−２９６３１号公報
【発明の概要】
【発明が解決しようとする課題】
【０００５】
送り主が、受取人の誕生日や記念日等に合わせてプレゼントを配達物として送る際、一緒に受取人に宛てたメッセージを送りたい場合がある。メッセージを送る方法としては、配達物の中にメッセージを書いた手紙等を入れる方法があるが、送り主が、受取人が手紙等を見たか否かを確認することは困難である。
【０００６】
また他の方法として、送り主が、受取人の端末に電子メール等を用いてメッセージとして画像や動画を含むメッセージ情報を送る方法があるが、配達物がプレゼントの場合は、中身のみならず、配達物を送ったことさえも受取人には秘密にしたいので、プレゼントを開けた後、すなわち配達物を開梱した後の最良のタイミングでメッセージ情報を受取人の端末に送ることは困難であった。
【０００７】
従来の配送確認システムは、配送人と受取人に音声メッセージを届けるものであるが、この音声メッセージは、送り主が、受取人に宛てて作成したものではないので上述のメッセージとは目的が異なる。また従来の配送確認システムは、受取人の通信端末の位置と、配送人の移動通信端末の位置と、が一致する場合に音声メッセージが送信されるので、受取人の家族等が受け取った場合には送信されない問題がある。
【０００８】
従って、本発明の目的は、配達物が配達された後に、受取人に宛てられたメッセージ情報を受取人、又は受取人と送り主の指定された送信先に送信することができるメッセージ送信システム及びメッセージ送信方法を提供することにある。
【課題を解決するための手段】
【０００９】
本発明の一態様は、配達後に送信された配達物の識別情報を含む信号に基づいて、配達物の識別情報に関連付けられて記憶部に記憶された送り主からのメッセージ情報を配達物の受取人、又は前記配達物の受取人と前記送り主の指定された送信先に送信する送信手段を備えたメッセージ送信システムを提供する。
【発明の効果】
【００１０】
本発明によれば、配達物が配達された後に、受取人に宛てられたメッセージ情報を受取人、又は受取人と送り主の指定された送信先に送信することができる。
【図面の簡単な説明】
【００１１】
【図１】図１（ａ）は、第１の実施の形態に係るメッセージ送信システムの概略図であり、図１（ｂ）は、メッセージ送信装置のブロック図である。
【図２】図２（ａ）は、第１の実施の形態に係るメッセージ送信システムの検知装置のブロック図であり、図２（ｂ）は、受付装置のブロック図であり、図２（ｃ）は、受取人端末のブロック図である。
【図３】図３（ａ）は、第１の実施の形態に係るメッセージ送信システムの受取人端末の表示部に表示される確認電子メールの内容を示す概略図であり、図３（ｂ）及び（ｃ）は、受取人端末の表示部に表示されるメッセージ情報を含む電子メールの内容を示す概略図である。
【図４】図４は、第１の実施の形態に係るメッセージ送信システムの動作に関するタイミングチャートである。
【図５】図５（ａ）は、第２の実施の形態に係るメッセージ送信システムの概略図であり、図５（ｂ）は、配達人端末９のブロック図である。
【図６】図６は、第２の実施の形態に係るメッセージ送信システムのタイミングチャートである。
【図７】図７（ａ）は、第３の実施の形態に係るメッセージ送信システムの概略図であり、図７（ｂ）は、メッセージ送信装置のブロック図である。
【発明を実施するための形態】
【００１２】
（実施の形態の要約）
実施の形態に係るメッセージ送信システムは、配達後に送信された配達物の識別情報を含む信号に基づいて、配達物の識別情報に関連付けられて記憶部に記憶された送り主からのメッセージ情報を配達物の受取人、又は配達物の受取人と送り主の指定された送信先に送信する送信手段を備えて概略構成されている。
【００１３】
このメッセージ送信システムは、配達物が開梱された後に送信される、配達物の識別情報を含む信号に基づいてメッセージ情報を送信する構成を有しているので、配達物が配達された後に、受取人に宛てられたメッセージ情報を、受取人の指定された送信先に送信することができる。
【００１４】
またメッセージ送信システムは、配達物が配達された後に、メッセージ情報を受取人と送り主の指定された送信先に送信する場合、送り主は、メッセージ情報を受け取ることで、配達物が開梱されたことを確認することができる。
【００１５】
[第１の実施の形態]
（メッセージ送信システム１の構成）
図１（ａ）は、第１の実施の形態に係るメッセージ送信システムの概略図であり、図１（ｂ）は、メッセージ送信装置のブロック図である。なお以下の各図において、矢印の近傍に示す信号等の記載は、メッセージ送信システムの主な動作に関係するものだけを図示している。
【００１６】
このメッセージ送信システム１は、配達後に送信された配達物の識別情報を含む信号に基づいて、配達物の識別情報に関連付けられて記憶部に記憶された送り主からのメッセージ情報を配達物の受取人、又は受取人と送り主の指定された送信先に送信する、メッセージ送信方法を実行するように構成されている。
【００１７】
つまりメッセージ送信システム１は、配達物の送り主が、配達物を受け取る受取人に宛てた後述するメッセージ情報７０を、配達物が配達された後に受取人、又は受取人と送り主に届けるものである。
【００１８】
具体的には、メッセージ送信システム１は、図１（ａ）及び（ｂ）に示すように、配達後に送信された配達物５の識別情報５０を含む信号としての開梱信号Ｓ２に基づいて、配達物５の識別情報５０に関連付けられて後述する記憶装置３に記憶された送り主からのメッセージ情報７０を配達物５の受取人、又は配達物５の受取人と送り主の指定された送信先に送信する送信手段としての後述する通信部２３を備えて概略構成されている。
【００１９】
ここで、メッセージ送信システム１が受取人と送り主の指定された送信先にメッセージ情報７０を送信する場合、例えば、メッセージ送信システム１には、送り主端末と、送り主端末とメッセージ送信装置２との間に介在する第４のネットワークと、が追加される。この送り主端末は、少なくとも受取人端末８の構成を有する。また第４のネットワークは、例えば、受取人端末８が接続される第３のネットワーク６ｃと同様のネットワークとなる。
【００２０】
メッセージ送信システム１は、上述の通信部２３を有するメッセージ送信装置２と、メッセージ送信装置２と電磁気的に接続された上述の記憶装置３と、第１のネットワーク６ａを介してメッセージ送信装置２と電磁気的に接続され、配達物５の開梱を検知する検知装置４と、第２のネットワーク６ｂを介してメッセージ送信装置２と電磁気的に接続され、送り主及び受取人の情報の入力を受け付ける受付装置７と、第３のネットワーク６ｃを介してメッセージ送信装置２と電磁気的に接続され、受取人が所有する受取人端末８と、を備えて概略構成されている。
【００２１】
なお、上述の電磁気的に接続とは、導電体による接続、電磁波の一種である光による接続、及び電磁波の一種である電波による接続の少なくとも１つを用いた接続である。また電子機器同士が導電体によって接続された場合は、電子機器間の通信としては、有線通信が行われ、光によって接続された場合は、光通信が行われ、電波によって接続された場合は、無線通信が行われる。
【００２２】
（メッセージ送信装置２の構成）
メッセージ送信装置２は、図１（ｂ）に示すように、接続部２１と、メール管理部２２と、通信部２３と、制御部２４と、を備えて概略構成されている。
【００２３】
接続部２１は、記憶装置３と電磁気的に接続するように構成されている。つまり接続部２１は、記憶装置３と有線通信又は無線通信を行うように構成されている。また接続部２１は、制御部２４から出力された後述する読出信号Ｓ３を記憶装置３に出力するように構成されている。
【００２４】
メール管理部２２は、例えば、電子メールの作成、送信、受信、蓄積、及び送信先の電子メールアドレス等を管理するように構成されている。またメール管理部２２は、配達情報７６０に基づいて、取得したメッセージ情報７０を含んだ電子メール２２１を生成するように構成されている。
【００２５】
通信部２３は、第１のネットワーク６ａ〜第３のネットワーク６ｃと電磁気的に接続され、これらに電磁気的に接続された検知装置４、受付装置７及び受取人端末８と通信するように構成されている。
【００２６】
また通信部２３は、メッセージ情報７０を送信する前に、受取人がメッセージ情報７０を受け取るか否かを確認する確認メッセージ情報を受取人が指定した送信先に送信する。この確認メッセージ情報は、一例として、メッセージ情報７０の受け取りを確認する文章を含む電子メールとして送信される。以下では、当該電子メールを確認電子メール２２０と記載する。この確認電子メール２２０は、メール管理部２２により生成される。なおメッセージ送信システム１が受取人と送り主の指定された送信先にメッセージ情報７０を送信する場合、一例として、送り主が送信先を指定する際に、確認電子メール２２０の送信を指定していなければ、送り主に確認電子メール２２０は、送信されない。
【００２７】
制御部２４は、例えば、記憶されたプログラムに従って、取得したデータに演算、加工等を行うＣＰＵ（Central Processing Unit）、半導体素子を含んで構成される半導体メモリであるＲＡＭ（Random Access Memory）及びＲＯＭ（Read Only Memory）等から構成されるマイクロコンピュータである。このＲＯＭには、例えば、制御部２４が動作するためのプログラムが格納されている。ＲＡＭは、例えば、一時的に演算結果等を格納する記憶領域として用いられる。この制御部２４は、接続部２１、メール管理部２２及び通信部２３を制御するように構成されている。
【００２８】
制御部２４は、検知装置４から開梱信号Ｓ２を取得した後、つまり受取人が配達物５を開梱した後、メール管理部２２を制御してメッセージ情報７０を送信しても良いか確認するための確認電子メール２２０を、通信部２３を介して受取人端末８に送信するように構成されている。また制御部２４は、受取人が承諾したことを示す後述する承諾電子メールを取得した後、記憶装置３からメッセージ情報７０を読み出すための読出信号Ｓ３を生成し、接続部２１を介して記憶装置３に出力するように構成されている。
【００２９】
ここで、メッセージ情報７０の受け取りの承諾は、例えば、確認電子メール２２０を編集することなく返信することにより行われる。また受け取りの拒否は、例えば、返信しないことにより行われる。制御部２４は、例えば、確認電子メール２２０を送信した時点から、予め定められた期間内に返信されない場合は、メッセージ情報７０の受け取りが拒否されたと判定するように構成される。
【００３０】
なお、変形例として、メッセージ送信装置２は、開梱信号Ｓ２を取得した後、確認電子メール２２０を送信することなく、メッセージ情報７０を含む電子メール２２１を受取人端末８に送信するように構成されても良い。
【００３１】
（記憶装置３の構成）
記憶装置３は、一例として、ＨＤＤ（Hard Disk Drive）及びＳＳＨ（Solid State Drive）等の記憶装置である。
【００３２】
この記憶装置３は、メッセージ送信装置２の接続部２１と電磁気的に接続されている。なお、記憶装置３は、メッセージ送信装置２の内部に収納、つまりメッセージ送信装置２を構成する記憶部であっても良いし、インターネット等のネットワークを介してメッセージ送信装置２と電磁気的に接続されていても良い。
【００３３】
記憶装置３は、配達物５の識別情報５０に関連付けられたメッセージ情報７０を含む後述する配達情報７６０を記憶するように構成されている。配達情報７６０は、配達を受け付けた配達物５の全てに生成される。従って記憶装置３は、複数の配達情報７６０を記憶している。
【００３４】
（検知装置４の構成）
図２（ａ）は、第１の実施の形態に係るメッセージ送信システムの検知装置のブロック図であり、図２（ｂ）は、受付装置のブロック図であり、図２（ｃ）は、受取人端末のブロック図である。
【００３５】
検知装置４は、配達物５が開けられたことを検知する、つまり配達物５の開梱を検知するものである。
【００３６】
検知装置４は、図２（ａ）に示すように、配達物５に取り付けられており、配達物５の開梱を検知して検知信号Ｓ１を出力する検知部４０と、配達物５の識別情報５０を保持する保持部としての記憶部４２と、検知部４０から取得した検知信号Ｓ１に基づいて、記憶部４２に記憶された識別情報５０を含む開梱信号Ｓ２を出力する出力部としての通信部４３と、を備えて概略構成されている。
【００３７】
また検知装置４は、検知装置４が動作するために必要な駆動電圧Ｖ１を生成して供給する電池４１と、各部を制御する制御部４４と、を備えている。
【００３８】
検知部４０は、一例として、設定されたしきい値より強い光を検知して検知信号Ｓ１を出力する受光素子を有する光センサである。この検知部４０は、配達物５が開梱された際に、配達物５内に差し込む光を検知するように構成されている。
【００３９】
なお検知部４０は、上述の光センサに限定されず、配達物５の開梱を検知できるものであれば良い。変形例として、検知部４０は、例えば、図１（ａ）に示す配達物５の梱包材が段ボールである場合、この段ボール上部の外フラップ５１又は外フラップ５２に取り付けられた磁石の磁場を検出する磁気センサで有っても良い。具体的には、検知部４０は、例えば、外フラップ５１又は外フラップ５２が開けられ、磁石と検知部４０との距離が離れて検知部４０が検出する磁場が弱まることにより、開梱を検知して検知信号Ｓ１を出力するように構成される。
【００４０】
また他の変形例として、検知部４０は、例えば、配達物５が開梱される前の状態ではスイッチがオン状態であり、開梱されるとオフ状態となって開梱を検知するものであっても良い。
【００４１】
さらに他の変形例として、検知部４０は、例えば、配達物５の外フラップ５１及び外フラップ５２を跨ぐように貼り付けられた送り状５５に配置されても良い。具体的には、検知部４０は、配達物５の開梱、つまり外フラップ５１及び外フラップ５２を開くことによる送り状５５の切断により、開梱を検知するように構成されても良い。
【００４２】
ここで、配達物５の内容物５００を梱包する梱包材は、外フラップ５１及び外フラップ５２を閉じることで梱包状態となる段ボールに限定されず、身と蓋を有するような箱、及び袋等であっても良い。
【００４３】
なお、配達物５の内容物５００は、一例として、苺である。
【００４４】
電池４１は、一例として、ボタン型電池である。
【００４５】
記憶部４２は、例えば、半導体メモリを含んで構成される。この記憶部４２には、配達物５の識別情報５０が記憶されている。
【００４６】
通信部４３は、第１のネットワーク６ａと電磁気的に接続されている。この通信部４３は、配達物５の識別情報５０を含む開梱信号Ｓ２を、第１のネットワーク６ａを介してメッセージ送信装置２に出力するように構成されている。
【００４７】
制御部４４は、例えば、ＣＰＵ及びＲＯＭ等から構成されるマイクロコンピュータである。制御部４４は、例えば、検知部４０から検知信号Ｓ１を取得した後、記憶部４２から識別情報５０を読み出し、読み出した識別情報５０を含む開梱信号Ｓ２を生成するように構成されている。また制御部４４は、通信部４３を制御し、生成した開梱信号Ｓ２を、第１のネットワーク６ａを介してメッセージ送信装置２に出力させるよう構成されている。
【００４８】
（受付装置７の構成）
受付装置７は、図２（ｂ）に示すように、メッセージ情報７０を受け付けて、記憶装置３に記憶させる受付手段としての受付部７１を備えている。
【００４９】
さらに受付装置７は、図２（ｂ）に示すように、読取部７２と、外部入力部７３と、表示部７４と、通信部７５と、制御部７６と、を備えて概略構成されている。
【００５０】
受付部７１は、一例として、数字、記号及び文字等の入力を可能とするキーボード等を有して構成されている。送り主は、受付部７１を用いて、自身の名前、住所及び電話番号等の入力を行うと共に、受取人の名前、住所、電話番号、送り主から受取人に宛てたメッセージ、及び当該メッセージの送信先である受取人の指定された送信先等の入力を行う。ここで、送り主は、当該メッセージの受け取りを希望する場合、受付部７１を介して送り主の指定する送信先の入力を行う。
【００５１】
なお、このメッセージは、例えば、文字、画像、音及び動画の少なくとも１つを含んで構成されている。受付部７１は、メッセージを受け付けるとメッセージ情報７０として制御部７６に出力するように構成されている。
【００５２】
ここで、メッセージは、受付装置７の受付部７１に入力された文字等からの生成に限定されず、受付装置７又は受付装置７に電磁気的に接続された電子機器から提示された複数の選択枝から希望の選択枝を、受付部７１を介して選択することによって生成されても良い。またメッセージは、例えば、受付装置７の外部入力部７３に電磁気的に接続された記憶媒体及び記憶装置に記憶された文字等を含む情報を読み込むことにより生成されても良い。
【００５３】
また受取人の指定された送信先とは、一例として、受取人端末８で受信することが可能な電子メールのメールアドレス、又はメッセージ送信装置２と受取人端末８とがＳＭＳ（Short Message Service）、ＥＭＳ（Enhanced Messaging Service）又はＭＭＳ（Multimedia Messaging Service）に対応している場合は、受取人端末８の電話番号である。また送り主の指定された送信先は、一例として、この受取人の指定された送信先と同様の送信先である。
【００５４】
読取部７２は、例えば、図１（ａ）に示すように、送り状５５に設けられた符号化された情報であるコード５６を読み取り、読み取ったコード５６を複合化して制御部７６に出力するように構成されている。このコード５６とは、一例として、一次元方向に情報を有する一次元コード、及び水平方向と垂直方向に情報を有する二次元コードである。コード５６は、配達物５に貼られる送り状５５に印刷により形成されている。
【００５５】
このコード５６は、例えば、識別情報５０を含んだ情報である。従って配達物５は、識別情報５０の情報を含む送り状５５が対応付けられることで、配達物５を識別する情報である識別情報５０が付与される。
【００５６】
また検知装置４は、対応付けられた送り状５５の識別情報５０と同じ識別情報５０を記憶部４２に記憶することで、当該送り状５５と同じ識別情報５０が付与されたこととなる。従って送り状５５と検知装置４とがひとつのセットとされ、配達物５に対応付けされることで、検知装置４、配達物５及び送り状５５が同じ識別情報５０を有することとなり、配達物５の管理が容易となる。
【００５７】
外部入力部７３は、例えば、ＣＤ（Compact Disc）、ＤＶＤ（Digital Versatile Disc）及びＳＤメモリカード（SD Memory Card）等の記憶媒体の電磁気的な接続と、ＨＤＤ、ＳＳＨ、ＵＳＢ（Universal Serial Bus）メモリ等の記憶装置の電磁気的な接続と、が可能となるように構成されている。
【００５８】
表示部７４は、例えば、液晶ディスプレイである。この表示部７４は、例えば、制御部７６が生成した制御信号Ｓ４に基づいて、受付部７１が受け付けた文字等を表示するように構成されている。
【００５９】
通信部７５は、第２のネットワーク６ｂと電磁気的に接続されている。通信部７５は、制御部７６から取得した配達情報７６０を、第２のネットワーク６ｂを介してメッセージ送信装置２に出力するように構成されている。
【００６０】
制御部７６は、例えば、ＣＰＵ、ＲＡＭ及びＲＯＭ等により構成されたマイクロコンピュータである。制御部７６は、受付部７１、読取部７２、外部入力部７３、表示部７４及び通信部７５を制御するように構成されている。
【００６１】
制御部７６は、例えば、受付部７１が受け付けた送り主が入力した情報と、受付部７１が受け付けた、又は読取部７２により送り状５５から読み取られた識別情報５０と、を関連付けた配達情報７６０を生成するように構成されている。この配達情報７６０には、例えば、受付部７１等を介して入力された、識別情報５０、送り主と受取人の名前、住所、電話番号、送り主から受取人に宛てたメッセージ、及び当該メッセージの送信先である受取人の指定された送信先等の情報が含まれている。
【００６２】
（受取人端末８の構成）
図３（ａ）は、第１の実施の形態に係るメッセージ送信システムの受取人端末の表示部に表示される確認電子メールの内容を示す概略図であり、図３（ｂ）及び（ｃ）は、受取人端末の表示部に表示されるメッセージ情報を含む電子メールの内容を示す概略図である。
【００６３】
受取人端末８は、例えば、携帯電話、タブレット端末等の携帯端末、及びパーソナルコンピュータ、ネットワークに電磁的に接続可能なテレビジョン等の電子機器である。本実施の形態では、受取人端末８は、一例として、携帯端末である多機能携帯電話、所謂スマートフォンであるものとする。
【００６４】
受取人端末８は、図２（ｃ）に示すように、入力部８０と、表示部８１と、蓄電池８２と、記憶部８３と、メール管理部８４と、通信部８５と、制御部８６と、を備えて概略構成されている。
【００６５】
入力部８０は、一例として、静電容量式のタッチセンサである。このタッチセンサは、表示部８１に重なるように配置され、表示部８１と共にタッチパネルを形成している。
【００６６】
この入力部８０の検出電極は、例えば、ＩＴＯ（酸化インジウムスズ）等の透明な材料を用いて形成されている。従って操作者は、図３（ａ）〜（ｃ）に示すように、入力部８０越しに表示部８１の表示画面８１０を見ることが可能となる。
【００６７】
入力部８０は、なされた操作に基づいて操作情報Ｓ５を生成して制御部８６に出力するように構成されている。
【００６８】
表示部８１は、例えば、液晶ディスプレイである。この表示部８１は、制御部８６が生成した制御信号Ｓ６に基づいて、メッセージ情報７０を含む電子メール２２１を表示画面８１０に表示するように構成されている。
【００６９】
蓄電池８２は、充電が可能な電池であり、受取人端末８が動作するために必要な駆動電圧Ｖ２を生成して供給するように構成されている。
【００７０】
また記憶部８３は、例えば、半導体メモリである。記憶部８３は、例えば、取得した電子メール、電子メールアドレス、アプリケーション等を記憶するように構成されている。
【００７１】
メール管理部８４は、例えば、電子メールの作成、送信、受信、蓄積、及び送信先の電子メールアドレス等を管理するように構成されている。
【００７２】
通信部８５は、第３のネットワーク６ｃに電磁気的に接続するように構成されている。通信部８５は、メッセージ送信装置２及び第３のネットワーク６ｃを介して、確認電子メール２２０、及びメッセージ情報７０を含む電子メール２２１を取得するように構成されている。
【００７３】
制御部８６は、ＣＰＵ、ＲＡＭ及びＲＯＭ等を有するマイクロコンピュータである。制御部８６は、入力部８０、表示部８１、蓄電池８２、記憶部８３、メール管理部８４及び通信部８５を制御するように構成されている。
【００７４】
（第１のネットワーク６ａ〜第３のネットワーク６ｃの構成）
第１のネットワーク６ａは、上述のように、配達物５に取り付けられた検知装置４とメッセージ送信装置２との間に介在し、検知装置４とメッセージ送信装置２とを電磁気的に接続させるものである。本実施の形態における第１のネットワーク６ａは、一例として、無線による電話回線網、つまり移動体通信網である。
【００７５】
第２のネットワーク６ｂは、上述のように、受付装置７とメッセージ送信装置２との間に介在し、受付装置７とメッセージ送信装置２とを電磁気的に接続させるものである。本実施の形態における第２のネットワーク６ｂは、一例として、インターネットである。なお、第２のネットワーク６ｂは、インターネットに限定されず、ＬＡＮ（Local Area Network）等であっても良い。
【００７６】
第３のネットワーク６ｃは、上述のように、受取人端末８とメッセージ送信装置２とを電磁気的に接続させるものである。本実施の形態における第３のネットワーク６ｃは、一例として、第１のネットワーク６ａとは異なる移動体通信網である。
【００７７】
なお、第１のネットワーク６ａと第３のネットワーク６ｃは、同じ移動体通信網であっても良い。また第１のネットワーク６ａ〜第３のネットワーク６ｃは、インターネット等の同じネットワークであっても良い。
【００７８】
以下では、本実施の形態に係るメッセージ送信システム１の動作について、図４のタイミングチャートに従って説明する。
【００７９】
（動作）
送り主は、配達物５の配達の依頼が可能な店舗において、識別情報５０を有する送り状５５及び検知装置４を受け取る。送り主は、検知装置４を配達物５内に取り付けると共に、受取人の名前等を送り状５５に記載して配達物５に貼りつける。そして、送り主は、受付装置７の受付部７１等を操作して、必要な情報の入力を行う。
【００８０】
受付装置７の受付部７１は、配達物５の識別情報５０、受取人の指定された送信先、及び受取人に宛てたメッセージ等を受け付ける。なお、識別情報５０は、読取部７２介して入力されても良い。また以下では、受取人の指定された送信先は、一例として、受取人端末８で受け取りが可能な電子メールアドレスであるものとする。
【００８１】
受付装置７の制御部７６は、識別情報５０、受取人の指定された送信先、及びメッセージ情報７０等に基づいて配達情報７６０を生成し、通信部７５及び第２のネットワーク６ｂを介してメッセージ送信装置２に出力する（Ｓ１）。
【００８２】
次に、メッセージ送信装置２の制御部２４は、第２のネットワーク６ｂ及び通信部２３を介して取得した配達情報７６０を記憶装置３に記憶させる（Ｓ２）。記憶装置３は、メッセージ送信装置２から取得した配達情報７６０を記憶する（Ｓ３）。
【００８３】
上述のステップ１〜ステップ３により、配達物５の配達の準備が終了し、その後、送り状５５に記載された受取人の住所に配達物５が届けられ、配達が終了する。
【００８４】
配達終了後、受取人が、配達物５を開梱すると、検知装置４が開梱を検知する（Ｓ４）。開梱を検知した検知部４０は、制御部４４に検知信号Ｓ１を出力する。この検知信号Ｓ１を取得した制御部４４は、検知信号Ｓ１に基づいて開梱信号Ｓ２を生成して通信部４３及び第１のネットワーク６ａを介してメッセージ送信装置２に出力する。
【００８５】
次に、メッセージ送信装置２の制御部２４は、読出信号Ｓ３を記憶装置３に出力することにより、取得した開梱信号Ｓ２に基づいて、開梱信号Ｓ２に含まれる識別情報５０に応じた配達情報７６０を、接続部２１を介して記憶装置３から読み出す（Ｓ５）。
【００８６】
記憶装置３は、取得した読出信号Ｓ３に基づいて、開梱信号Ｓ２に含まれていた識別情報５０に対応する配達情報７６０を読み出し、メッセージ送信装置２に出力する。
【００８７】
次に、制御部２４は、取得した配達情報７６０に基づいて、受取人の電子メールアドレスに確認電子メール２２０を送信する（Ｓ６）。
【００８８】
具体的には、図３（ａ）に示すように、送り主から贈られたメッセージ情報７０を送信しても良いか否かを確認する本文８２１を含む確認電子メール２２０が受取人端末８に、第３のネットワーク６ｃを介して送信される。受取人は、メッセージ情報７０を受け取るために、指定された方法、つまり編集せずに確認電子メール２２０を返信する操作を行う。
【００８９】
次に、受取人端末８のメール管理部８４は、受付人の操作に基づいて、承諾電子メール８４０を生成し、通信部８５及び第３のネットワーク６ｃを介してメッセージ送信装置２に送信する（Ｓ７）。
【００９０】
次に、メッセージ送信装置２の制御部２４は、第３のネットワーク６ｃ及び通信部２３を介して取得した承諾電子メール８４０に基づいて、メッセージ情報７０の送信が承諾されたと判定し、メール管理部２２を制御してメッセージ情報７０を含む電子メール２２１を生成し、この電子メール２２１を通信部２３及び第３のネットワーク６ｃを介して受取人端末８に送信する（Ｓ８）。
【００９１】
次に、受取人端末８のメール管理部８４は、取得した電子メール２２１を、表示部８１に表示できるように処理する。制御部８６は、メール管理部８４の処理に基づいて、表示部８１を制御し、表示部８１の表示画面８１０に電子メール２２１の内容を表示させる（Ｓ９）。
【００９２】
図３（ｂ）は、本文８２１と画像８２２が含まれたメッセージ８２０が表示画面８１０に表示された一例を示している。この本文８２１は、「お母さん、お誕生日おめでとう！」と、母親に対する感謝の気持ちが表現され、画像８２２は、誕生日を祝うケーキの画像が使用されている。
【００９３】
また図３（ｃ）は、本文８２１と動画８２３が含まれたメッセージ８２０が表示画面８１０に表示された一例を示している。この本文８２１は、「お父さんお母さん結婚記念日おめでとう！」と両親の結婚記念日を祝う気持ちが表現され、動画８２３は、送り主の動く姿が表示されている。この動画の再生は、例えば、動画８２３内をタップすることにより開始される。
【００９４】
上述したように、メッセージ送信システム１は、配達物５の配達後に、メッセージ情報７０を配達物５の受取人に送信することが可能となる。
【００９５】
（第１の実施の形態の効果）
本実施の形態に係るメッセージ送信システム１は、配達物５が配達された後に、受取人に宛てられたメッセージ情報７０を、受取人の指定された送信先に送信することができる。具体的には、メッセージ送信システム１は、配達物５が開梱された後に送信される、配達物５の識別情報５０を含む開梱信号Ｓ２に基づいてメッセージ情報７０を送信する構成を有しているので、配達物５が配達された後に、受取人に宛てられたメッセージ情報７０を、指定された送信先に送信することができる。
【００９６】
このメッセージ送信システム１は、受取人の誕生日、記念日及びお祝いの日等に合わせたプレゼントを送る場合、受取人が配達物５を開梱した後の最良のタイミングでメッセージ情報７０を送信することができるので、受取人に送り主の気持ちが伝わり易い。また受取人は、配達物５と、送り主からのメッセージ情報７０と、を受け取ることができるので、配達物のみを受け取る場合と比べて、喜びが大きい。
【００９７】
またメッセージ送信システム１は、メッセージ情報７０を送信する前に、確認電子メール２２０を受取人に送信し、受取人がメッセージ情報７０を受け取るか否かを選べるので、選べないものと比べて、受取人側に選択の自由度がある。
【００９８】
さらにメッセージ送信システム１は、文章、画像、音及び動画の少なくとも１つをメッセージ情報７０として送信することができるので、配達物に手紙や写真等を入れる場合と比べて、保存が容易である。また、メッセージ情報７０は、受取人が所持する受取人端末８に送信されるので、ＣＤ等の記憶媒体にメッセージ情報を記憶して配達物に入れる場合と比べて、記憶媒体を再生する再生装置等が必要なく、容易に再生等を行うことができる。
【００９９】
またさらにメッセージ送信システム１は、メッセージ情報７０の受け取りの意志を確認してから受取人端末８にメッセージ情報７０を送信するので、配達物に手紙や写真等を入れる場合と比べて、受取人に確実に見てもらえる。
【０１００】
ここでメッセージ送信システム１が、受取人と送り主の指定された送信先にメッセージ情報７０を送信する場合は、送り主にもメッセージ情報７０が送信されるので、受取人が配達物５を開梱したことを確認することができる。
【０１０１】
［第２の実施の形態］
第２の実施の形態は、配達後に送信された配達物５の識別情報５０を含む信号が、配達物５の配達が終了したことを示す終了信号Ｓ１１である点が、第１の実施の形態と異なっている。
【０１０２】
（メッセージ送信システム１ａの構成）
図５（ａ）は、第２の実施の形態に係るメッセージ送信システムの概略図であり、図５（ｂ）は、配達人端末９のブロック図である。なお、以下の各実施の形態では、第１の実施の形態と同じ機能及び構成を有する部分は、第１の実施の形態と同じ符号を付し、その説明は省略するものとする。
【０１０３】
メッセージ送信システム１ａは、図５（ａ）に示すように、配達後に送信された配達物５の識別情報５０を含む信号としての終了信号Ｓ１１に基づいて、配達物５の識別情報５０に関連付けられて記憶装置３に記憶された送り主からのメッセージ情報７０を配達物５の受取人の指定された送信先に送信する通信部２３を備えて概略構成されている。
【０１０４】
またメッセージ送信システム１ａは、上述の通信部２３を有するメッセージ送信装置２と、メッセージ送信装置２と電磁気的に接続された上述の記憶装置３と、第２のネットワーク６ｂを介してメッセージ送信装置２と電磁気的に接続された受付装置７と、第３のネットワーク６ｃを介してメッセージ送信装置２と電磁気的に接続された受取人端末８と、第４のネットワーク６ｄを介してメッセージ送信装置２と電磁気的に接続された配達人端末９と、を備えて概略構成されている。
【０１０５】
（配達人端末９の構成）
配達人端末９は、例えば、配達物５の配達を行う者である配達人が職務で携帯する端末であり、主に配達物５の管理を行うものである。
【０１０６】
この配達人端末９は、例えば、図５（ｂ）に示すように、読取部９０と、入力部９１と、蓄電池９２と、表示部９３と、通信部９４と、制御部９５と、を備えて概略構成されている。配達人端末９は、一例として、これらが一体となり、配達人が携帯できるように構成されている。
【０１０７】
読取部９０は、配達物５の送り状５５のコード５６を読み取り、識別情報５０を制御部９５に出力するように構成されている。
【０１０８】
入力部９１は、一例として、数字、記号及び文字等の入力を可能とするボタン等を有して構成されている。この入力部９１は、配達人の操作に基づいて操作情報Ｓ１０を生成して制御部９５に出力するように構成されている。
【０１０９】
蓄電池９２は、充電が可能な電池であり、配達人端末９が動作するために必要な駆動電圧Ｖ３を生成して供給するように構成されている。
【０１１０】
表示部９３は、例えば、液晶ディスプレイである。
【０１１１】
通信部９４は、例えば、第４のネットワーク６ｄと電磁気的に接続されている。また通信部９４は、制御部９５から取得した終了信号Ｓ１１を、第４のネットワーク６ｄを介してメッセージ送信装置２に出力するように構成されている。
【０１１２】
また通信部９４は、配達物５の配達の終了が入力された時点で、第４のネットワーク６ｄとの通信が成立していなくても、配達人の移動による通信の成立により、終了信号Ｓ１１をメッセージ送信装置２に送信するように構成されている。
【０１１３】
制御部９５は、例えば、ＣＰＵ、ＲＡＭ及びＲＯＭ等から構成されるマイクロコンピュータである。制御部９５は、読取部９０、入力部９１、表示部９３及び通信部９４を制御している。
【０１１４】
制御部９５は、例えば、読取部９０から取得した識別情報５０、及び入力部９１から取得した操作情報Ｓ１０に基づいて終了信号Ｓ１１を生成するように構成されている。
【０１１５】
第４のネットワーク６ｄは、配達人端末９とメッセージ送信装置２との間に介在し、配達人端末９とメッセージ送信装置２とを電磁気的に接続させるものである。この第４のネットワーク６ｄは、一例として、移動体通信網である。
【０１１６】
以下では、本実施の形態に係るメッセージ送信システム１ａの動作について、図６のタイミングチャートに従って説明する。
【０１１７】
（動作）
以下では、第１の実施の形態におけるステップ１〜ステップ３が終了した後から、つまり、受付装置７を介して必要な情報が入力されて配達物５の配達の準備が終了し、その後、配達人が、送り状５５に記載された受取人の住所に到着した時点からについて説明する。
【０１１８】
配達人は、配達が終了した後、配達人端末９の入力部９１等を操作して、配達物５の配達が終了したことを示す情報を入力する。
【０１１９】
配達人端末９の制御部９５は、入力部９１等を介して取得した識別情報５０及び操作情報Ｓ１０に基づいて、配達が終了したことを示す終了信号Ｓ１１を生成し、通信部９４及び第４のネットワーク６ｄを介してメッセージ送信装置２に出力する（Ｓ１０）。
【０１２０】
次に、終了信号Ｓ１１を取得したメッセージ送信装置２の制御部２４は、読出信号Ｓ３を記憶装置３に出力することにより、終了信号Ｓ１１に含まれる識別情報５０に応じた配達情報７６０を、接続部２１を介して記憶装置３から読み出す（Ｓ１１）。
【０１２１】
記憶装置３は、取得した読出信号Ｓ３に基づいて、終了信号Ｓ１１に含まれていた識別情報５０に対応する配達情報７６０を読み出し、メッセージ送信装置２に出力する。
【０１２２】
次に、制御部２４は、取得した配達情報７６０に基づいて、受取人の電子メールアドレスに確認電子メール２２０を送信する（Ｓ１２）。なお制御部２４は、受取人と送り主の指定された送信先にメッセージ情報７０を送信する場合、例えば、受取人の電子メールアドレスに確認電子メール２２０を送信すると共に、送り主の指定された送信先にメッセージ情報７０を含む電子メールを送信する。
【０１２３】
次に、受取人端末８のメール管理部８４は、受付人の操作に基づいて、承諾電子メール８４０を生成し、通信部８５及び第３のネットワーク６ｃを介してメッセージ送信装置２に送信する（Ｓ１３）。
【０１２４】
次に、メッセージ送信装置２の制御部２４は、第３のネットワーク６ｃ及び通信部２３を介して取得した承諾電子メール８４０に基づいて、メッセージ情報７０の送信が承諾されたと判定し、メール管理部２２を制御してメッセージ情報７０を含む電子メール２２１を生成し、この電子メール２２１を通信部２３及び第３のネットワーク６ｃを介して受取人端末８に送信する（Ｓ１４）。
【０１２５】
次に、受取人端末８のメール管理部８４は、取得した電子メール２２１を、表示部８１に表示できるように処理する。制御部８６は、メール管理部８４の処理に基づいて、表示部８１を制御し、表示部８１の表示画面８１０に電子メール２２１の内容を表示させる（Ｓ１５）。
【０１２６】
ここで、変形例として、メッセージ送信システムは、第１の実施の形態のメッセージ送信システム１と、第２の実施の形態のメッセージ送信システム１ａと、を組み合わせて構成されても良い。この変形例のメッセージ送信システムは、例えば、検知装置４が、第１のネットワーク６ａを介した無線通信が成立しない領域に位置する場合、メッセージ送信装置２において開梱信号Ｓ２が受信されないものの終了信号Ｓ１１を受信していた場合、予め定められた期間が経過しても開梱信号Ｓ２が受信されないと、受取人端末８に確認電子メール２２０を送信する構成であっても良い。
【０１２７】
（第２の実施の形態の効果）
本実施の形態に係るメッセージ送信システム１ａによれば、配達の終了を示す終了信号Ｓ１１を取得することで、メッセージ情報７０を送信するので、メッセージ情報７０を確実に受取人に送信することができる。
【０１２８】
またメッセージ送信システム１ａは、受取人と送り主の指定された送信先にメッセージ情報７０を送信する場合、送り主は、メッセージ情報７０を受け取ることにより、配達が終了したことを確認することができる。
【０１２９】
［第３の実施の形態］
第３の実施の形態は、開梱を検知する検知装置、及びメッセージ情報７０を送信するメッセージ送信装置が一体となり、配達物に配置される点で、上記の実施の形態と異なっている。
【０１３０】
（メッセージ送信システム１ｂの構成）
図７（ａ）は、第３の実施の形態に係るメッセージ送信システムの概略図であり、図７（ｂ）は、メッセージ送信装置のブロック図である。
【０１３１】
このメッセージ送信システム１ｂは、図７（ａ）に示すように、配達後に送信された配達物５の識別情報５０を含む信号としての検知信号Ｓ１２に基づいて、配達物５の識別情報５０に関連付けられて記憶部２０２に記憶された送り主からのメッセージ情報７０を配達物５の受取人の指定された送信先に送信する通信部２０４を備えて概略構成されている。
【０１３２】
またメッセージ送信システム１ｂは、図７（ａ）に示すように、ネットワーク６ｅに電磁気的に接続され、上述の記憶部２０２及び通信部２０４を有するメッセージ送信装置２ａと、配達物５の受取人が所有する受取人端末８と、を備えて概略構成されている。
【０１３３】
（メッセージ送信装置２ａの構成）
メッセージ送信装置２ａは、例えば、図７（ｂ）に示すように、検知部２００と、蓄電池２０１と、記憶部２０２と、メール管理部２０３と、通信部２０４と、制御部２０５と、を備えて概略構成されている。
【０１３４】
検知部２００は、一例として、検知信号Ｓ１２を出力する受光素子を有する光センサである。この検知部２００は、配達物５が開梱された際に、配達物５内に差し込む光を検知するように構成されている。また検知部２００は、検知信号Ｓ１２が識別情報５０を含むように構成されている。検知部２００は、識別情報５０を含む検知信号Ｓ１２を出力するので、配達物５の開梱を検知し易いように、メッセージ送信装置２ａと離れて設置することが可能となる。
【０１３５】
蓄電池２０１は、一例として、メッセージ送信装置２ａが動作するために必要な駆動電圧Ｖ３を生成して供給するボタン型電池である。
【０１３６】
記憶部２０２は、送り主が受取人に宛てたメッセージのメッセージ情報７０、配達物５の識別情報５０、及び受取人の指定された送信先である電子メールアドレス２０２ａが記憶されている。
【０１３７】
メール管理部２０３は、制御部２０５の制御に基づいて、メッセージ情報７０を含む電子メール２２１を生成するように構成されている。
【０１３８】
通信部２０４は、ネットワーク６ｅに電磁気的に接続するように構成されている。
【０１３９】
制御部２０５は、例えば、ＣＰＵ、ＲＯＭ等から構成されたマイクロコンピュータである。
【０１４０】
（ネットワーク６ｅの構成）
ネットワーク６ｅは、メッセージ送信装置２ａと受取人端末８との間に介在し、メッセージ送信装置２ａと受取人端末８とを電磁気的に接続するものである。このネットワーク６ｅは、一例として、移動体通信網である。
【０１４１】
以下では、第３の実施の形態に係るメッセージ送信システム１ｂの動作について各図を参照しながら説明する。
【０１４２】
（動作）
送り主は、配達物５の配達の依頼が可能な店舗において、識別情報５０を有する送り状５５及びメッセージ送信装置２ａを受け取る。メッセージ送信装置２ａは、識別情報５０を含む検知信号Ｓ１２を出力するように検知部２００が設定されると共に、メッセージ情報７０、識別情報５０、及び受取人の指定された送信先である電子メールアドレス２０２ａが記憶部２０２に記憶される。
【０１４３】
送り主は、メッセージ送信装置２ａを配達物５内に取り付けると共に、受取人の名前等を送り状５５に記載して配達物５に貼りつける。
【０１４４】
配達物５の配達の準備が終了し、その後、送り状５５に記載された受取人の住所に配達物５が届けられ、配達が終了する。
【０１４５】
配達終了後、受取人が、配達物５を開梱すると、検知部２００が開梱を検知する。開梱を検知した検知部２００は、制御部２０５に検知信号Ｓ１２を出力する。この検知信号Ｓ１２を取得した制御部２０５は、検知信号Ｓ１２に含まれる識別情報５０に基づいて、メッセージ情報７０、及び電子メールアドレス２０２ａを記憶部２０２から読み出す。
【０１４６】
次に、メッセージ送信装置２ａの制御部２０５は、メール管理部２０３を制御してメッセージ情報７０を含む電子メール２２１を生成し、この電子メール２２１を通信部２０４及びネットワーク６ｅを介して受取人端末８が受け取ることができる電子メールアドレス２０２ａ宛に送信する。ここで、メッセージ送信装置２ａは、受取人と送り主の指定された送信先にメッセージ情報７０を送信する場合、受取人に電子メール２２１を送信すると共に、メッセージ情報７０を含む電子メールを、送り主の送信先に送信する。
【０１４７】
次に、受取人端末８のメール管理部８４は、取得した電子メール２２１を、表示部８１に表示できるように処理する。制御部８６は、メール管理部８４の処理に基づいて、表示部８１を制御し、表示部８１の表示画面８１０に電子メール２２１の内容を表示させる。
【０１４８】
（第３の実施の形態の効果）
本実施の形態に係るメッセージ送信システム１ｂは、検知部とメッセージ送信装置とをネットワークで電磁気的に接続する場合と比べて、構成が簡単であるので、コストを抑制することができる。
【０１４９】
ここで、上述の各実施の形態の変形例として、メッセージ送信システムは、受取人に第１のメッセージ情報を送信すると共に、送り主に第２のメッセージ情報を送信するように構成されても良い。この送り主に送信する第２のメッセージ情報は、例えば、配達を終了したことを示すメッセージ、第１のメッセージ情報を受取人に送信したことを示すメッセージ等である。
【０１５０】
また他の変形例として、メッセージ送信システムは、複数の送り主が作成した複数のメッセージ情報を受取人に送信するように構成されても良い。
【０１５１】
上述の実施の形態及び変形例に係るメッセージ送信システムは、例えば、用途に応じて、その一部が、コンピュータが実行するプログラム、ＡＳＩＣ（Application Specific Integrated Circuit）及びＦＰＧＡ（Field Programmable Gate Array）等によって実現されても良い。
【０１５２】
なお、ＡＳＩＣとは、特定用途向け集積回路であり、ＦＰＧＡとは、プログラミングすることができるＬＳＩ（大規模集積回路：Large Scale Integration）である。
【０１５３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【０１５４】
１，１ａ，１ｂ…メッセージ送信システム、２，２ａ…メッセージ送信装置、３…記憶装置、４…検知装置、５…配達物、６ａ〜６ｄ…第１のネットワーク〜第４のネットワーク、６ｅ…ネットワーク、７…受付装置、８…受取人端末、９…配達人端末、２１…接続部、２２…メール管理部、２３…通信部、２４…制御部、４０…検知部、４１…電池、４２…記憶部、４３…通信部、４４…制御部、５０…識別情報、５１，５２…外フラップ、５５…送り状、５６…コード、７０…メッセージ情報、７１…受付部、７２…読取部、７３…外部入力部、７４…表示部、７５…通信部、７６…制御部、８０…入力部、８１…表示部、８２…蓄電池、８３…記憶部、８４…メール管理部、８５…通信部、８６…制御部、９０…読取部、９１…入力部、９２…蓄電池、９３…表示部、９４…通信部、９５…制御部、２００…検知部、２０１…蓄電池、２０２…記憶部、２０２ａ…電子メールアドレス、２０３…メール管理部、２０４…通信部、２０５…制御部、２２０…確認電子メール、２２１…電子メール、５００…内容物、７６０…配達情報、８１０…表示画面、８２０…メッセージ、８２１…本文、８２２…画像、８２３…動画、８４０…承諾電子メール
【図１】
2015054749.tif 000003
【図２】
2015054749.tif 000004
【図３】
2015054749.tif 000005
【図４】
2015054749.tif 000006
【図５】
2015054749.tif 000007
【図６】
2015054749.tif 000008
【図７】
2015054749.tif 000009